(57)【要約】【課題】組み立ての際に電源回路基板からの電力をバックライトに供給する電源用配線が前記電源回路基板を収納するケースに挟まれるのを防止する。【解決手段】液晶ケース３０５には、液晶板金３０４の側壁４０４と液晶ベース３０３の第１の切欠き部３３３により形成される開口から突出する電源用配線３１５ａ、３１５ｂをケース内側に導くリブ３４１をその側壁３５３の内側に形成しているので、組み立ての際に電源回路基板３０２からの電力をバックライト３１２に供給する電源用配線３１５ａ、３１５ｂが電源回路基板３０２を収納するケースとしての液晶ケース３０５と液晶板金３０４ｉに挟まれるのを防止できる。【選択図】図６
2008048839.tif 000002
【特許請求の範囲】
【請求項１】
一面に液晶パネルとバックライトを重ねて成る画面を有し、電源用配線から供給される電力により前記バックライトが発光し、液晶駆動用配線から供給される液晶駆動信号により前記液晶パネルの透過率が制御された状態で、当該液晶パネルに前記バックライトからの光を透過させることで前記画面に画像を表示する液晶パネルユニットと、
前記電源用配線に電力を供給する電源回路基板と、
一面に前記液晶パネルユニットを収納する一面側収納部が形成され、他面に前記電源回路基板を収納する他面側収納部が形成され、その外周の一部を切欠くことで前記電源用配線が挿入される第１の切欠き部が形成され、当該第１の切欠き部を介して当該電源用配線を一面から他面へ導くとともに、一面から他面へ前記液晶駆動用配線を通過させる第２の切欠き部が形成された液晶ベースと、
開口部を形成した平面部及び側壁を有して枠状に形成され、前記液晶ベースの一面側に取り付けられ、前記液晶パネルユニットの画面の外周を覆うとともに、その側壁と前記液晶ベースの第１の切欠き部により前記電源用配線が通過可能な開口部を形成する液晶板金と、
平面部及び側壁を有して一面側が開口し、当該側壁の少なくとも一部が透光性を有する素材で形成され、その開口側を前記液晶ベースの他面側に向かい合わせた状態で当該液晶ベースに装着され、当該液晶ベースとの間に前記電源回路基板を収納する内部空間を形成するとともに、前記液晶ベースからの前記液晶駆動用配線を前記内部空間から外部へ通過させる貫通部を有し、前記液晶板金の側壁と前記液晶ベースの第１の切欠き部により形成される開口から突出する前記電源用配線をケース内側に導くリブをその側壁の内側に形成した液晶ケースと、
前記液晶ケースの前記貫通部から延出する前記液晶駆動用配線と接続する基板側コネクタを有し、当該液晶駆動用配線を介して前記液晶パネルユニットに液晶駆動信号を供給するサブ制御基板と、
少なくともその一部が透光性を有する素材で箱状に形成され、前記サブ制御基板を収納し、当該サブ制御基板の前記基板側コネクタを前記液晶駆動用配線と接続可能になるように外部に露出させる開口部を有するとともに、前記液晶ケースの他面側にネジ止め固定される基板ケースと、
を備えることを特徴とする遊技機。
【発明の詳細な説明】
【技術分野】
【０００１】
本発明は、液晶パネルユニットの背面側にサブ制御基板を収納する基板ケースを取り付けた遊技機に関するものである。
【背景技術】
【０００２】
従来より、スロットマシンには各種の回路基板が搭載されている。このような回路基板としては、例えば特許文献１に記載されているように、遊技の進行等を制御しつつ抽選等を行うメイン制御基板、サウンドの出力や液晶表示ユニットの映像表示等の演出を制御するサブ制御基板、及び電源の供給制御を行う電源制御基板等が挙げられる。これらの回路基板は、例えば、ハーネスの一端に設けられたハーネス側コネクタやフレキシブルフラットケーブルを用いたハーネスと結合する基板側コネクタを備えており、これらハーネスを介して他の回路基板や電子部品ユニット（液晶パネルユニット）と接続するようになっている。
【０００３】
ここで、スロットマシンのメイン制御基板及びサブ制御基板は、正規の基板やＲＯＭを用い、それ以外の基板やＲＯＭの使用を禁止する必要がある。このためメイン制御基板及びサブ制御基板は、特許文献２に記載されているように開封できなく、また本体から外すことが出来ないように所定の基板ケースに封入されており更に封印手段を用いて遊技機本体と分離できないようにして、メイン制御基板及びサブ制御基板に装着されているＲＯＭ等を正規以外のものに交換できないようにしている。
【０００４】
またサブ制御基板を収納する基板ケースは、一般的に液晶パネルユニットの背面側に取り付けられている。この理由は、サブ制御基板と接続するユニットの中で液晶パネルユニットがサブ制御基板と接続する配線の数が最も多いためである。
【０００５】
【特許文献１】特開２００３−３２５９１１号公報
【特許文献２】特開２０００−２５４３２０号公報
【発明の開示】
【発明が解決しようとする課題】
【０００６】
上述した従来の液晶パネルユニットでは、電源回路基板から電源用配線を介して供給される電力によりバックライトが発光するように構成されているので、電源用配線は組み立て時に電源回路基板を収納するケースに挟まれる場合が多く、また電源用配線を取り回す隙間からネジ等の部品が内部に入り込む場合があり問題が多かった。
【０００７】
本発明は、こうした従来の問題に鑑みてなされたものであり、組み立ての際に電源回路基板からの電力をバックライトに供給する電源用配線が電源回路基板を収納するケースに挟まれるのを防止するとともに、電源用配線を取り回す隙間から不要な部品が内部に入り込むのを防止できるようにした遊技機を提供することを目的としている。
【課題を解決するための手段】
【０００８】
上述した課題を解決するため、請求項１に記載の発明は、遊技機であって、一面に液晶パネルとバックライトを重ねて成る画面を有し、電源用配線から供給される電力により前記バックライトが発光し、液晶駆動用配線から供給される液晶駆動信号により前記液晶パネルの透過率が制御された状態で、当該液晶パネルに前記バックライトからの光を透過させることで前記画面に画像を表示する液晶パネルユニットと、前記電源用配線に電力を供給する電源回路基板と、一面に前記液晶パネルユニットを収納する一面側収納部が形成され、他面に前記電源回路基板を収納する他面側収納部が形成され、その外周の一部を切欠くことで前記電源用配線が挿入される第１の切欠き部が形成され、当該第１の切欠き部を介して当該電源用配線を一面から他面へ導くとともに、一面から他面へ前記液晶駆動用配線を通過させる第２の切欠き部が形成された液晶ベースと、開口部を形成した平面部及び側壁を有して枠状に形成され、前記液晶ベースの一面側に取り付けられ、前記液晶パネルユニットの画面の外周を覆うとともに、その側壁と前記液晶ベースの第１の切欠き部により前記電源用配線が通過可能な開口部を形成する液晶板金と、平面部及び側壁を有して一面側が開口し、当該側壁の少なくとも一部が透光性を有する素材で形成され、その開口側を前記液晶ベースの他面側に向かい合わせた状態で当該液晶ベースに装着され、当該液晶ベースとの間に前記電源回路基板を収納する内部空間を形成するとともに、前記液晶ベースからの前記液晶駆動用配線を前記内部空間から外部へ通過させる貫通部を有し、前記液晶板金の側壁と前記液晶ベースの第１の切欠き部により形成される開口から突出する前記電源用配線をケース内側に導くリブをその側壁の内側に形成した液晶ケースと、前記液晶ケースの前記貫通部から延出する前記液晶駆動用配線と接続する基板側コネクタを有し、当該液晶駆動用配線を介して前記液晶パネルユニットに液晶駆動信号を供給するサブ制御基板と、少なくともその一部が透光性を有する素材で箱状に形成され、前記サブ制御基板を収納し、当該サブ制御基板の前記基板側コネクタを前記液晶駆動用配線と接続可能になるように外部に露出させる開口部を有するとともに、前記液晶ケースの他面側にネジ止め固定される基板ケースと、を備えることを特徴とする。
【０００９】
請求項１に記載の遊技機によれば、前記液晶板金の側壁と前記液晶ベースの第１の切欠き部により形成される開口から突出する電源用配線をケース内側に導くリブを液晶ケースの側壁の内側に形成しているので、組み立ての際に電源回路基板からの電力をバックライトに供給する電源用配線が前記電源回路基板を収納するケースに挟まれるのを防止するとともに、電源用配線を取り回す隙間から不要な部品が内部に入り込むのを防止できる。
【発明の効果】
【００１０】
本発明の遊技機によれば、組み立ての際に電源回路基板からの電力をバックライトに供給する電源用配線が電源回路基板を収納するケースに挟まれるのを防止するとともに、電源用配線を取り回す隙間から不要な部品が内部に入り込むのを防止できるので、組み立て作業の効率化を行える。
【発明を実施するための最良の形態】
【００１１】
以下、本発明に係る遊技機の好適な一実施形態をスロットマシンを例に図面を参照して説明する。なお、図１はスロットマシン１の外観構造を表した斜視図である。図２は前扉３を開放した状態におけるスロットマシン１の内部構造を表した図である。図３はスロットマシン１の制御システムを表したブロック図である。
【００１２】
図１において、スロットマシン１は、前方に開口を有する略矩形状の箱体である筐体２と、当該筐体２に対して蝶番機構により回動可能に取り付けられることで前記開口を開閉可能な状態で閉塞させる前扉３とを備えている。
【００１３】
前扉３の前面側は、上部パネル部４と下部パネル部５に略区分けされ、これらは視覚効果を高めてデザインされたいわゆる化粧板として、硬質プラスチックにより一体的に形成されている。更に、下部パネル部５の下方には、入賞時に払い出されるメダル（遊技媒体）を貯留する受皿部６ａが一体的に形成された受皿ユニット６が設けられている。
【００１４】
また、上部パネル部４と下部パネル部５との間には、遊技者側に突出し、ゲーム操作を行うためのスイッチ類が配置されている操作卓７が一体的に形成されている。なお、上部パネル部４、操作卓７、下部パネル部５、及び受皿ユニット６は、遊技者側に面し、これらによって「前面パネル部」が構成される。
【００１５】
上部パネル部４の中央には、硬質プラスチック板等で形成されたパネル面４１が設けられている。パネル面４１のほぼ中央には略長方形の透明な表示窓４２が形成され、表示窓４２を通して筐体２内に設けられているリールユニット１００の３個のリール１０１ａ、１０１ｂ、１０１ｃが目視される。
【００１６】
ここで、筐体２内に設置されているリールユニット１００は、円筒形状のリール１０１ａ、１０１ｂ、１０１ｃがそれぞれ回転軸方向に並べられ、各リール１０１ａ、１０１ｂ、１０１ｃの外周面にはその周方向に沿って複数種類の図柄が描かれている。遊技者は、表示窓４２を通して３列のリールに描かれたそれぞれ上下方向３個の図柄を目視できるようになっている。
【００１７】
また、パネル面４１には、裏面側に設けられている図示しないランプを点灯させることで例えば入賞役への内部当選など遊技状態に関する情報を演出表示する遊技状態表示部４３と、これと同様にランプを点灯させることで遊技操作のアシストに関する情報を表示する操作アシスト表示部４４と、スロットマシン１にクレジット（貯留）されているメダル数や、入賞によって獲得したメダル数、又は入賞役への当選回数等の情報を数値表示する数値情報表示部４５が、それぞれ表示窓４２の周辺に設けられている。
【００１８】
上部パネル部４の上部には、高輝度発光ダイオード等のランプ類を内蔵する中央及び左右の演出用照明部４６、４７ａ、４７ｂと、ゲームに係る効果音を発生させるスピーカを内蔵する演出用放音部４８ａ、４８ｂが配置されている。
【００１９】
スロットマシン１は、ゲームの進行に応じて上述した複数の演出用照明部４６、４７ａ、４７ｂ等が点灯又は点滅することで、ゲームにおける視覚的な演出効果を高めるように形成されている。
【００２０】
また、演出用放音部４８ａ、４８ｂの間には、透明な硬質プラスチック板等が嵌め込まれて形成された表示窓４９ａに面して遊技機の演出装置として液晶表示装置４９が配置されている。なお、液晶表示装置４９は、ゲームの演出に係る映像やゲーム（遊技）に関する情報を主に表示する。
【００２１】
操作卓７の上面右側にはメダル投入部７１が設けられている。メダル投入部７１はメダルを投入するためのメダル投入口７２を有する。また、当該上面の左側には、押しボタンスイッチである２個のベットボタン７３、７４が設けられている。
【００２２】
ベットボタン７３、７４はスロットマシンの１ゲームに賭けるメダルの枚数を提示するためのボタンスイッチである。本スロットマシン１においては、ゲームを開始する際に、ベットボタン７３が押圧操作されることで、貯留されているメダルから１枚のメダルがゲームに対して賭けられる。同様に、ベットボタン７４が押圧操作されることで３枚の当該ゲームにメダルが賭けられる。なお、ベットボタン７４は、最大枚数のメダルを賭けることから、特に「マックスベットボタン」と呼ばれている。
【００２３】
操作卓７の前面左側には、リール１０１ａ、１０１ｂ、１０１ｃの回転開始を指示するためのスタートレバー７５が設けられている。スタートレバー７５は、先端に球形の操作ノブを有する揺動可能な操作旱を備え、操作旱が傾倒操作されるとオン、操作旱から手が離されるとスプリングの付勢力によって自動的に元の位置に戻ってオフ状態となるスイッチユニットで形成されている。
【００２４】
また、操作卓７の中央には、各リール１０１ａ、１０１ｂ、１０１ｃの回転停止をそれぞれ指示するためのストップボタン７６ａ、７６ｂ、７６ｃが各リールの配列に対応して並設されている。
【００２５】
さらに、操作卓７の前面の左隅には、ゲームに賭けられたメダルをキャンセルして払い出させることを指示するとともに、後述するメダルクレジット手段２０３（図３参照）が内部貯留したメダルを精算して払い出させることを指示するための精算ボタン７７が設けられている。
【００２６】
操作卓７の前面右側には、前扉３を開錠するための鍵が挿入される鍵穴７８が設けられている。スロットマシン１の管理者等が鍵穴７８に所定の鍵を挿入して開錠操作すると、蝶番機構によって筐体２に取り付けられている前扉３を前方へ開くことができ、また前扉３を筐体２側に閉じると、自動的にこれらを施錠するようになっている。
【００２７】
下部パネル部５には、スロットマシン１のモデルタイプを遊技者へ認識させる等のため、登場キャラクターの絵などを表示する表示パネル５１が設けられている。表示パネル５１の左右両脇には、左右の演出用照明部５２ａ、５２ｂが設けられている。
【００２８】
下部パネル部５の下側に配置された受皿ユニット６には、入賞時にメダルを排出するメダル払出口６１と、払い出されたメダルを貯留する受皿部６ａと、演出効果音を発生させるスピーカを内蔵する左右の演出用放音部６２ａ、６２ｂがそれぞれ配置されている。
【００２９】
次に、図２を参照して、筐体２の内部構造と前扉３の裏面構造とを説明する。
【００３０】
図２において、筐体２の前方には開口８を有している。この開口８内の上部には、硬質プラスチックの基板ケース２１０に収納された主制御基板２０が取り付けられている。主制御基板２０は、スロットマシン１の全体動作を集中制御するＣＰＵ（マイコン）を備えている。
【００３１】
筐体２内の中央には、リール１０１ａ、１０１ｂ、１０１ｃを備えるリールユニット１００が設けられている。リールユニット１００は、前扉３が筐体２側に閉じられると前扉３の表示窓４２にリール１０１ａ、１０１ｂ、１０１ｃが対向するように、所定フレームに位置決めされて取り付けられている。なお、各リール１０１ａ、１０１ｂ、１０１ｃは、それぞれに内蔵されたステッピングモータによって回転駆動される。
【００３２】
また、リールユニット１００の上部には、各リールを回転駆動する上記ステッピングモータへ４相の駆動パルス信号を送出する回胴装置基板が取り付けられており、主制御基板２０が回胴装置基板に回胴駆動（励磁）パルスデータを送出することで、各リールの回転と制動及び停止の制御を行っている。
【００３３】
リールユニット１００の下方には、ホッパ装置２１と、ホッパ装置２１から溢れたメダルを収容するための補助貯留部２２と、主電源装置２３が設けられている。主電源装置２３の内部の右側には、いわゆる配電盤に相当する電源装置基板２４が設けられている。更に、筐体２の上部右側の内壁に、遊技場に設置されている「ホールコンピュータ」と呼ばれる管理用コンピュータと接続可能な外部集中端子基板２５が取り付けられている。
【００３４】
次に、前扉３の裏面側上部には、発光駆動部３０、３１ａ、３１ｂが配置されている。発光駆動部３０、３１ａ、３１ｂは、それぞれ演出用照明部４６、４７ａ、４７ｂの光源である高輝度の発光ダイオードが複数配列され、この発光ダイオードを発光駆動する駆動回路が実装されている。
【００３５】
また、前扉３の裏面側上部には、上述の演出用放音部４８ａ、４８ｂに対向してスピーカ３２ａ、３２ｂが取り付けられている。また、スピーカ３２ａ、３２ｂの間には、液晶表示装置４９が取り付けられている。更に、液晶表示装置４９の裏面側には、電気回路基板で形成され硬質プラスチックの基板ケースセット２２０に収納されたサブ制御基板４０が取り付けられている。
【００３６】
液晶表示装置４９と基板ケースセット２２０とサブ制御基板４０は、液晶用サブ制御基板ユニット１０を構成している。
【００３７】
主制御基板２０及びサブ制御基板４０は、スロットマシン１の作動を制御する制御基板である。
【００３８】
サブ制御基板４０の下方には、リール１０１ａ、１０１ｂ、１０１ｃを目視させるための透明な表示窓４２が形成されたパネル板５０が配置され、表示窓４２の下方には、前面側のスタートレバー７５（図１参照）及びストップボタン７６ａ、７６ｂ、７６ｃ（図１参照）等の操作スイッチ類の出力信号を主制御基板２０へ転送する中継基板として機能する中央表示基板３３が設けられている。
【００３９】
中央表示基板３３の下方には、メダル選別装置３４が取り付けられている。メダル選別装置３４は、メダル投入部７１に投入されたメダルの適否を判別し振り分ける装置である。また、メダル選別装置３４はメダルセンサを内蔵しており、ゲームの待機状態等において正規のメダルが投入され、メダルセンサがこのメダルを検出することによって、メダル投入の受け付けを示す信号を主制御基板２０へ送出する。
【００４０】
メダル選別装置３４の装置本体の下方には、メダル選別装置３４によって振り分けられた正規のメダルを筐体２内に設けられているホッパ装置２１へ案内するガイド部材３５と、メダル選別装置３４により排除されたメダル（又は異物）をメダル排出口６１へ案内するガイド部材３６が設けられている。また、前扉３の裏面側下部には、ホッパ装置２１から排出されたメダルをメダル排出口６１へ案内するガイド部材３７が設けられている。更に、メダル排出口６１に隣接して、上述した演出用放音部６２ａ、６２ｂに対向するスピーカ３８ａ、３８ｂが取り付けられている。
【００４１】
なお、スロットマシン１全体の動作は、筐体２側に設けられている主制御基板２０によって統括制御されており、サブ制御基板４０は、液晶表示装置４９による演出映像の表示制御、及び演出用放音部４８ａ、４８ｂ、６２ａ、６２ｂのスピーカ３２ａ、３２ｂ、３８ａ、３８ｂを使った演出効果音制御など、ゲームの演出に係る制御を主に行っている。
【００４２】
次に、図３のブロック図を参照して、スロットマシン１に設けられている制御システムについて説明する。
【００４３】
図３において、主制御基板２０は、ＣＰＵ２００と、記憶部２０１とを備えている。
【００４４】
記憶部２０１は、ＲＯＭ、ＲＡＭ等の半導体メモリによって構成され、スロットマシンゲーム用のシステムプログラム２０２が予め記憶されている。主制御基板２０は、記憶部２０１に記憶されたシステムプログラム２０２に従ってＣＰＵ２００が演算処理を実行することで、スロットマシン１全体の動作を統括制御している。
【００４５】
また、記憶部２０１にはメダルクレジット手段２０３が設けられている。メダルクレジット手段２０３はスロットマシン１が内部貯留するメダルの数であるクレジットをメモリに記憶する。
【００４６】
主制御基板２０には、ベットボタン７３、７４、スタートレバー７５、ストップボタン７６ａ、７６ｂ、７６ｃ、精算ボタン７７等の操作スイッチ類、メダル選別装置３４のメダルセンサ３４ａ、ホッパ装置２１等のメダル払出装置、及びサブ制御基板４０等がハーネスを介して接続されている。
【００４７】
主制御基板２０は、前記操作スイッチ類やメダル選別装置３４のメダルセンサ３４ａからの出力信号によりゲームに係る操作を検出する。
【００４８】
主制御基板２０は、動作モードがメダルベット待機状態となっている場合において、メダルセンサ３４ａがメダルを検出した場合、検出したメダルをゲームの賭数に加算する。
【００４９】
また、主制御基板２０は、動作モードがメダルクレジット入力待機状態となっている場合において、メダルセンサ３４ａがメダルを検出した場合、検出したメダルをメダルクレジット手段２０３のクレジットに加算する。ここで、メダルベット待機状態とは、１つのゲームが終了した後、当該ゲームにメダルが賭けられるのを待機している状態のことを示している。メダルクレジット入力待機状態とは、当該ゲームにメダルが賭けられた後、メダルクレジット手段２０３の前記クレジット数が最大値（５０）になるまでの状態のことを示している。
【００５０】
主制御基板２０は、各リール１０１ａ、１０１ｂ、１０１ｃに設けられる基準位置センサ１２０ａ、１２０ｂ、１２０ｃの検出信号を入力し、各リールの基準となる回転位置を把握しながら、回胴装置基板１３０に所定の回胴駆動パルスデータを送出する。回胴装置基板１３０は、主制御基板２０からの回胴駆動パルスデータに従って各ステッピングモータ１１０ａ、１１０ｂ、１１０ｃを回転駆動することで、各リール１０１ａ、１０１ｂ、１０１ｃの回転及び停止の動作制御を行っている。
【００５１】
主制御基板２０は、入賞が確定した場合等において、ホッパ装置２１を制御することで、所定数のメダルを受皿部６ａに払い出す。
【００５２】
また、主制御基板２０は、精算ボタン７７が操作された場合、ゲームに賭けられたメダルをキャンセルしてホッパ装置２１に払い出させるとともに、メダルクレジット手段２０３（図３参照）が内部貯留したメダルを精算してホッパ装置２１に精算前のクレジット数のメダルを払い出させる。
【００５３】
サブ制御基板４０は、主制御基板２０からの制御信号に基づいて液晶表示装置４９（図１参照）、演出用照明部４６、４７ａ、４７ｂ、５２ａ、５２ｂ（図１参照）、演出用放音部４８ａ、４８ｂ、６２ａ、６２ｂ（図１参照）のスピーカ３２ａ、３２ｂ、３８ａ、３８ｂ等の演出装置２３０を制御駆動することで、遊技者の視覚や聴覚に訴える演出をゲームの進行に応じて行っている。
【００５４】
一方、主制御基板２０の記憶部２０１には、入賞抽選テーブル２０４及び内部抽選フラグ２０５が記憶されている。例えばＣＰＵ２００は、スタートレバー７５の操作を検出した時点で図示しない乱数発生装置から乱数値を取得し、入賞抽選テーブル２０４を参照することで、得られた乱数値に割り当てられた入賞役またはハズレを抽選する。そして、ＣＰＵ２００は、乱数値に対応する入賞役が存在すると、それを当該ゲームの入賞役として抽選結果を当選にし、当該入賞役を記憶部２０１の内部抽選フラグ２０５に記憶する。ここでは、かかる入賞役の抽選方法を「内部抽選」と呼んでいる。
【００５５】
次に、スロットマシン１におけるゲーム動作の概要を説明する。
【００５６】
スロットマシン１は、先のゲームにおいて入賞しメダルの配当が完了した時、又は先のゲームにおいてハズレが確定すると待機状態となる。この待機状態においては、当該状態を遊技者に示唆するとともにゲーム操作を促す待機モードの演出が液晶表示装置４９等によって行われる。次に、遊技者がメダル投入部７１にメダルを投入し、もしくは、何れかのベットボタン７３、７４を押圧操作することで、スロットマシン１は、内部に貯留したメダル（クレジット）から当該ゲームに所定枚数のメダルが賭けられゲームを準備する。
【００５７】
ゲーム準備の状態でスタートレバー７５が傾倒操作されゲームが開始されると、主制御基板２０は、３個のリール１０１ａ、１０１ｂ、１０１ｃを一斉に回転させ始めるとともに、上述した内部抽選を実行する。内部抽選の結果は、内部抽選フラグ２０５に記憶される。
【００５８】
次に、遊技者により何れかのストップボタン７６ａ、７６ｂ、７６ｃが押圧操作されることで、リール１０１ａ、１０１ｂ、１０１ｃが停止し、主制御基板２０は、停止した各リールが表示する図柄と上述の内部抽選フラグ２０５に対応する入賞役に係る図柄の組合せとが一致しているかどうか判定する。
【００５９】
これら図柄の組合せが一致し役への入賞が確定すると、スロットマシン１は、主制御基板２０によりメダルクレジット手段２０３の制御を行い、内部貯留しているメダルのクレジット数が所定の数になるまで、当該役の種類に応じて予め決められた配当数のメダルをクレジット数に加算する。さらに、スロットマシン１は、前記配当数と前記クレジット数の加算結果が前記所定の数を超過すると、この超過した数のメダルを受皿部６ａへ払い出す。
【００６０】
次に、図４乃至図１４を参照して本実施形態の要部となる液晶用サブ制御基板ユニット１０について説明する。
【００６１】
図４は液晶用サブ制御基板ユニット１０（図２参照）の分解斜視図である。図５は基板ケースセット２２０及びサブ制御基板４０の分解斜視図である。図６は液晶表示装置４９の分解斜視図である。図７は液晶パネルユニット３０１の断面図である。図８は液晶ケース３０５を取り付ける前の液晶表示装置４９を示す斜視図である。図９は液晶ベース３０３から液晶パネルユニット３０１を外した状態を示す斜視図である。図１０は液晶用サブ制御基板ユニット１０の正面側から見た斜視図である。図１１は液晶用サブ制御基板ユニット１０の背面下側から見た斜視図である。図１２は液晶用サブ制御基板ユニット１０の背面上側から見た斜視図である。図１３は液晶用サブ制御基板ユニット１０の断面図である。図１４はリブ３４１及びその周辺部を拡大して示す断面図である。
【００６２】
尚、図４乃至図１１では、液晶用サブ制御基板ユニット１０またはその構成部品を上下逆にして図示しており、図面の上側が液晶用サブ制御基板ユニット１０またはその構成部品の下側となり、図面の下側が液晶用サブ制御基板ユニット１０またはその構成部品の上側となっている。
【００６３】
図４において、液晶用サブ制御基板ユニット１０は、基板ケースセット２２０にサブ制御基板４０を収納して液晶表示装置４９に取り付ける構造になっている。
【００６４】
液晶表示装置４９は、液晶パネルユニット３０１と、電源回路基板３０２と、液晶ベース３０３と、液晶板金３０４と、液晶ケース３０５とを備えている。
【００６５】
前記液晶パネルユニット３０１は、一面に液晶パネル３１１（図７参照）とバックライト３１２（図７参照）を重ねて成る画面３１３（図７参照）を有し、他面に型番が記載された型番表示部３１４を有し、電源用配線３１５ａ、３１５ｂから供給される電力により前記バックライト３１２が発光し、液晶駆動用配線としてのフレキシブルフラットケーブル（以下ＦＦＣと呼ぶ）ハーネス３１６から供給される液晶駆動信号により前記液晶パネル３１１（図７参照）の透過率が制御された状態で、前記液晶パネル３１１（図７参照）に前記バックライト３１２（図７参照）からの光を透過させることで画面３１３（図７乃至図１０参照）に画像を表示する。
【００６６】
電源回路基板３０２は、前記電源用配線３１５ａ、３１５ｂに電力を供給する。
【００６７】
液晶ベース３０３は、一面に前記液晶パネルユニット３０１を収納する一面側収納部３３１（図１３参照）が形成され、他面に前記電源回路基板３０２を収納する他面側収納部３３２が形成され、その外周の一部を切欠くことで前記電源用配線３１５ａ、３１５ｂが挿入される第１の切欠き部３３３が形成され、当該第１の切欠き部３３３を介して当該電源用配線３１５ａ、３１５ｂを一面から他面へ導くとともに、一面から他面へＦＦＣハーネス３１６を通過させる第２の切欠き部３３４が形成されるとともに、前記型番表示部３１４を他面側に露出させる窓部３３５が形成されている。
【００６８】
液晶板金３０４は、開口部４２０を形成した平面部４００及び側壁４０１、４０２、４０３、４０４を有して枠状に形成され、前記液晶ベース３０３の一面側に取り付けられ、前記液晶パネルユニット３０１の画面３１３（図７乃至図１０参照）の外周を覆うとともに、その側壁４０４と前記液晶ベース３０３の第１の切欠き部３３３により前記電源用配線３１５ａ、３１５ｂが通過可能な開口部３４０（図８参照）を形成する。
【００６９】
液晶ケース３０５は、透光性を有する素材で形成され、平面部３５０及び上下左右の側壁３５１、３５２、３５３、３５４（図９参照）を有して一面側が開口し、その開口側を前記液晶ベース３０３の他面側に向かい合わせた状態で当該液晶ベース３０３に装着され、当該液晶ベース３０３との間に前記電源回路基板３０２を収納する内部空間３０６（図１３参照）を形成するとともに、前記液晶ベース３０３からのＦＦＣハーネス３１６を内部空間３０６（図１３参照）から外部へ通過させる貫通部３５５を有し、前記液晶板金３０４の側壁４０４と前記液晶ベース３０３の第１の切欠き部３３３により形成される開口３４０（図８参照）から突出する前記電源用配線３１５ａ、３１５ｂをケース内側に導くリブ３４１をその側壁３５３の内側に形成している。
【００７０】
サブ制御基板４０は、前記液晶ケース３０５の前記貫通部３５５から延出する前記ＦＦＣハーネス３１６と接続する基板側コネクタ６１０を有し、当該ＦＦＣハーネス３１６を介して前記液晶パネルユニット３０１に液晶駆動信号を供給する。
【００７１】
基板ケースセット２２０は、サブ制御基板ベース５０１とサブ制御基板ケース５０２とから構成されている。
【００７２】
サブ制御基板ベース５０１は、透光性を有する素材で形成され、平面部５１０及び側壁５１１、５１２、５１３、５１４を有して一面側が開口し、他面側が前記液晶ケース３０５の他面側にネジ止め固定される。
【００７３】
サブ制御基板ケース５０２は、透光性を有する素材で形成され、平面部５２０及び側壁５２１、５２２、５２３、５２４を有して一面側が開口し、その開口側を前記サブ制御基板ベース５０１の前記開口側に向かい合わせた状態で当該サブ制御基板ベース５０１に装着され、前記サブ制御基板ベース５０１との間に前記サブ制御基板４０を収納する。
【００７４】
基板ケースセット２２０は、当該サブ制御基板ベース５０１にサブ制御基板ケース５０２を取り付けた状態で前記サブ制御基板４０の基板側コネクタ６１０を前記ＦＦＣハーネス３１６と接続可能になるように外部に露出させる開口部５０３（図１２参照）が形成される。
【００７５】
このような構造により、基板ケースセット２２０は、少なくともその一部が透光性を有する素材で箱状に形成され、前記サブ制御基板４０を収納し、当該サブ制御基板４０の前記基板側コネクタ６１０を前記ＦＦＣハーネス３１６と接続可能になるように外部に露出させる開口部５０３（図１２参照）を有するとともに、前記液晶ケース３０５の他面側にネジ止め固定される基板ケースとなっている。
【００７６】
以下、前記液晶パネルユニット３０１について詳細に説明する。
【００７７】
図７において、液晶パネルユニット３０１は、液晶パネル３１１とバックライト３１２を、フレーム３１７と枠部３１８によって収納する構造になっている。
【００７８】
バックライト３１２にはサイドエッジ型を適用している。即ち、サイドエッジ型のバックライト３１２は、導光板３１９と、冷陰極蛍光管３６１ａ、３６１ｂとを備えている。
【００７９】
導光板３１９は、アクリル系樹脂等の透明材料で成形されて、フレーム３１７の内側に保持されている。導光板３１９の前側（液晶パネル３１１側）には、光拡散シートやプリズムシートからなる光学補償シート３６２が積層されている。
【００８０】
冷陰極蛍光管３６１ａ、３６１ｂは、フレーム３１７により導光板３１９の上下の縁部にそれぞれ近接させて設置されている。冷陰極蛍光管３６１ａ、３６１ｂは、電源用配線３１５ａ、３１５ｂ（図６参照）に接続されており、電源用配線３１５ａ、３１５ｂ（図６参照）から供給される高周波電流により発光するようになっている。
【００８１】
導光板３１９の背面には、冷陰極蛍光管３６１ａ、３６１ｂからの光を液晶パネル３１１側に反射させる光反射処理として白色のドット印刷３６３がマトリクス状に施されている。
【００８２】
液晶パネル３１１の下縁（図７では上下を逆に表示）からはハーネス３６４が延出している。ハーネス３６４はフレーム３１７と枠部３１８の間に形成された隙間３６５を介して、フレーム３１７の背面側に取り付けられた接続用基板３６６（図６参照）に電気的に接続している。
【００８３】
図６において、フレーム３１７の左下隅には、接続用基板３６６が取り付けられている。
【００８４】
接続用基板３６６は、ＦＦＣハーネス３１６と接続するコネクタ３６７が板面の下辺右寄りに設けられている。接続用基板３６６は、フレーム３１７の背面の左下コーナーにネジ止めにより取り付けられている。
【００８５】
接続用基板３６６は、板面に形成された配線パターンによりＦＦＣハーネス３１６とハーネス３６４を電気的に接続する。
【００８６】
フレーム３１７の右側面からは、電源用配線３１５ａ、３１５ｂが延出している。電源用配線３１５ａ、３１５ｂの先端は共通のコネクタ３７０に接続している。
【００８７】
このような構造により、図７において、液晶パネル３１１は、パネル状に形成され、そのパネル面にマトリクス状に配置された複数の画素を有し、バックライト３１２より前面側に取り付けられ、サブ制御基板４０（図５参照）の制御により、バックライト３１２からの光を各画素で透過率を制御して透過させることで前面に画像を表示する。
【００８８】
図６において、フレーム３１７の背面側の型番表示部３１４には型番を印刷したラベル３６８が張り付けられている。
【００８９】
フレーム３１７の背面側には、軽量化のための貫通部３６９が複数形成されている。
【００９０】
以下、電源回路基板３０２について詳細に説明する。
【００９１】
図６において、電源回路基板３０２は、印刷配線板３２１上にインバータ回路を構成したものであり、コイル、コンデンサ等の部品３２２を搭載し、入力コネクタ３２３と出力コネクタ３２４を有している。
【００９２】
入力コネクタ３２３は、後述のハーネス６９６（図５参照）の一端側コネクタ６９７（図５参照）と接続する。出力コネクタ３２４は、電源用配線３１５ａ、３１５ｂのコネクタ３７０に接続する。
【００９３】
電源回路基板３０２は、入力コネクタ３２３に供給される直流電源電圧から高周波電源電圧を生成して出力コネクタ３２４から電源用配線３１５ａ、３１５ｂに供給し、冷陰極蛍光管３６１ａ、３６１ｂ（図７参照）を点灯させる。
【００９４】
以下、液晶ベース３０３について詳細に説明する。
【００９５】
図６において、液晶ベース３０３は、平面部３８０の外周に前後に突出する上下左右の側壁３８１、３８２、３８３、３８４を形成することで、一面側収納部３３１（図１３参照）及び他面側収納部３３２を形成している。
【００９６】
液晶ベース３０３の右側面には、側壁３８４の中間部から平面部の右側の一部に亘って第１の切欠き部３３３が形成されている。
【００９７】
液晶ベース３０３の平面部３８０の左下コーナー近傍には、第２の切欠き部３３４が形成されている。
【００９８】
また、平面部３８０の板面の右寄りの位置には窓部３３５が形成されている。
【００９９】
また、平面部３８０の板面の側壁３８４近傍には、電源回路基板３０２をネジ止めするためのネジ止め用突起部３３６、３３７が２箇所形成されている。ネジ止め用突起部３３６、３３７にはネジ３３８、３３９を螺入するためのネジ孔がそれぞれ形成されている。
【０１００】
ネジ３３８、３３９は、電源回路基板３０２に形成された貫通孔３２５、３２６に挿入し、ネジ止め用突起部３３６、３３７のネジ孔に螺入することで電源回路基板３０２を平面部３８０にネジ止め固定する。
【０１０１】
また、液晶ベース３０３の他面側収納部３３２には、固定ケース３０１の強度を高めるための複数のリブ３８５が形成されている。
【０１０２】
上側の側壁３８１には、左右の内側ネジ止め部３９１、３９２と、左右の外側ネジ止め部３９３、３９４が形成されている。
【０１０３】
下側の側壁３８２には、左右の内側ネジ止め部３９５、３９６と、左右の外側ネジ止め部３９７、３９８が形成されている。
【０１０４】
内側ネジ止め部３９１、３９２、３９５、３９６は、液晶板金３０４を取り付けるためのものである。
【０１０５】
外側ネジ止め部３９３、３９４、３９７、３９８は、液晶ケース３０５を取り付けるためのものである。
【０１０６】
以下、液晶板金３０４について詳細に説明する。
【０１０７】
図６において、液晶板金３０４は、液晶パネルユニット３０１の正面の周囲をマスクするマスク部としての平面部４００の外周に後方に突出する上下左右の側壁４０１、４０２、４０３、４０４を形成したものである。
【０１０８】
平面部４００は、画面３１３（図７乃至図１０参照）の形状に合わせて形成した開口部４２０により、液晶パネルユニット３０１の画面３１３（図７乃至図１０参照）の周りの部品を前方から遮蔽している。
【０１０９】
側壁４０１、４０２にはネジ止め用舌片４０５、４０６、４０７、４０８が形成されている。
【０１１０】
ネジ止め用舌片４０５、４０６、４０７、４０８は、ネジ孔が形成されており、液晶ベース３０３の内側ネジ止め部３９１、３９２、３９５、３９６にネジ４０９、４１０、４１１、４１２によりネジ止め固定するようになっている。
【０１１１】
液晶板金３０４の側壁４０４は、前記液晶ベース３０３の右の側壁３８４を覆い、第１の切欠き部３３３とともに前記電源用配線３１５ａ、３１５ｂが通過可能な開口部３４０（図８参照）を形成する。一方、第１の切欠き部３３３の縁部にはリブ３９９が形成されている。開口部３４０は、リブ３９９と液晶板金３０４の側壁４０４に囲まれた長辺形状となる。
【０１１２】
以下、液晶ケース３０５について詳細に説明する。
【０１１３】
図６において、液晶ケース３０５の平面部３５０と側壁３５７の間の角部には、ＦＦＣハーネス３１６を通過させるための貫通部３５５が形成されている。
【０１１４】
液晶ケース３０５の平面部３５０は、右の側壁３５４の近傍位置に電源回路基板３０２の入力コネクタ３２３に接続するハーネス６９６（図５参照）を通過させるための開口部３５６が形成されている。
【０１１５】
平面部３５０の平面上の右側の中間位置には、液晶ベース３０３側に向けて窪む凹部４３５が形成されている。
【０１１６】
開口部３５６は、凹部４３５の左側に形成され、凹部４３５側の縁部に壁部４３６が形成されている。凹部４３５には、各種ハーネスを保持するためのフック４３７が形成されている。
【０１１７】
図９において、側壁３５１の内側面には、液晶ベース３０３を係止するためのリブ３４２、３４３が形成されている。
【０１１８】
側壁３５２の内側面には、液晶ベース３０３を係止するためのリブ３４４、３４５が形成されている。
【０１１９】
側壁３５３の内側の凹部４３５より正面側にはリブ３４１が形成されている。リブ３４１はその板面が水平方向に配置する上下の水平板状部３４６、３４７とその板面が垂直方向に配置する垂直板状部３４８によりコ字状に形成されている。
【０１２０】
図１４に示すように、リブ３４１は凹部４３５の裏面から側壁３５３の２／３程度の範囲で形成されている。リブ３４１の垂直板状部３４８の右側面は液晶板金３０４の側壁４０４の外側面と略面一の状態で配置する。リブ３４１の垂直板状部３４８の左側面は液晶板金３０４の側壁４０４の内側面より所定間隔を置いてケース内側に位置する。
【０１２１】
このような配置により、リブ３４１は、前記液晶板金３０４の側壁４０４と前記液晶ベース３０３の第１の切欠き部３３３により形成される開口３４０（図８参照）から突出する前記電源用配線３１５ａ、３１５ｂを液晶ケース３０５の内側に導く。
【０１２２】
また、図６において、液晶ケース３０５の側壁３５１、３５２には、ネジ４２１、４２２、４２３、４２４のネジ部が挿入されるネジ部挿入孔３５７、３５８、３５９、３６０が形成される。
【０１２３】
ネジ４２１、４２２、４２３、４２４は、そのネジ部がネジ部挿入孔３５７、３５８、３５９、３６０に挿入し液晶ベース３０３の外側ネジ止め部３９５、３９６、３９７、３９８のネジ孔に螺入することで液晶ケース３０５を液晶ベース３０３にネジ止め固定するようになっている。
【０１２４】
左の側壁３５３には、前扉３（図２参照）の内側にネジ止めするためのネジ止め部４２５、４２７が左側方に突出して形成されている。
【０１２５】
右の側壁３５４には、前扉３（図２参照）の内側にネジ止めするためのネジ止め部４２６、４２８が右側方に突出して形成されている。
【０１２６】
また、液晶ケース３０５の平面部３５０には、サブ制御基板ベース５０１（図４参照）をネジ止めするためのネジ穴４３１、４３２、４３３、４３４が形成されている。
【０１２７】
次に、サブ制御基板ベース５０１について詳細に説明する。
【０１２８】
図５において、サブ制御基板ベース５０１は、平面部５１０及び側壁５１１、５１２、５１３、５１４に囲まれる内側がサブ制御基板４０を収納する収納部５３０（図１３参照）になっている。収納部５３０（図１３参照）の内側となる平面部５１０の背面の四隅近傍にはサブ制御基板４０をネジ止めするための突起部５３１、５３２、５３３、５３４がそれぞれ形成されている。
【０１２９】
サブ制御基板ベース５０１の収納部５３０（図１３参照）の内側には、サブ制御基板ベース５０１の強度を高めるための複数のリブ５３５が形成されている。
【０１３０】
側壁５１３には、サブ制御基板ベース５０１を液晶ケース３０５（図６参照）にネジ止めするためのネジ止め部５３７、５３９が左側方に突出して形成されている。
【０１３１】
側壁５１４には、サブ制御基板ベース５０１を液晶ケース３０５にネジ止めするためのネジ止め部５３８、５４０が右側方に突出して形成されている。
【０１３２】
ネジ止め部５３７、５３８、５３９、５４０には、ネジ挿入孔が形成されており、このネジ挿入孔にネジ５４１、５４２、５４３、５４４のネジ部を挿入し液晶ケース３０５（図６参照）のネジ穴４３１、４３２、４３３、４３４（図６参照）に螺入することでサブ制御基板ベース５０１を液晶ケース３０５にネジ止め固定するようになっている。
【０１３３】
次に、サブ制御基板４０について詳細に説明する。
【０１３４】
サブ制御基板４０は、印刷配線板６０１上にＣＰＵ６０２、演出制御用ＲＯＭ６０３、画像データ用ＲＯＭ６０４、６０５、音声データ用ＲＯＭ６０６、ＲＡＭ６０７、コネクタ６１０、６１１、６１２、６１３、６１４、６１５、６１６…等の電子部品を搭載し、これらを印刷配線６３０で電気的に接続したものである。
【０１３５】
また、印刷配線板６０１の四隅近傍には、突起部５３１、５３２、５３３、５３４にねじ止めするためのネジ部挿入孔６３１、６３２、６３３、６３４が形成されている。
【０１３６】
一方、サブ制御基板ケース５０２の平面部５２０の四隅近傍には、かしめ用キャップ６５１、６５２、６５３、６５４が挿入され、かしめられる凹部６５５、６５６、６５７、６５８が形成されている。
【０１３７】
凹部６５５、６５６、６５７、６５８の底面には、ネジ６６１、６６２、６６３、６６４のネジ部が挿入される、ネジ部挿入孔６６５、６６６、６６７、６６８が形成されている。
【０１３８】
ネジ６６１、６６２、６６３、６６４は、ネジ部がそれぞれネジ部挿入孔６６５、６６６、６６７、６６８に挿入し、印刷配線板６０１のネジ部挿入孔６３１、６３２、６３３、６３４に挿入し、サブ制御基板ベース５０１の突起部５３１、５３２、５３３、５３４のネジ穴に螺入することでサブ制御基板ケース５０２と印刷配線板６０１をサブ制御基板ベース５０１にネジ止め固定する。
【０１３９】
次に、サブ制御基板ケース５０２について詳細に説明する。
【０１４０】
サブ制御基板ケース５０２の側壁５２１、５２２、５２３、５２４は、段部６７１（図１２参照）、６７２、６７３（図１３参照）、６７４を挟んで背面側部６７５（図１２参照）、６７６、６７７（図１３参照）、６７８と正面側部６８１（図１２参照）、６８２、６８３（図１３参照）、６８４で異なるサイズに形成されている。
【０１４１】
背面側部６７５（図１２参照）、６７６、６７７（図１３参照）、６７８は、サブ制御基板ケース５０２の開口側から見た場合のサイズがサブ制御基板ベース５０１の側壁５１１、５１２、５１３、５１４と略一致している。
【０１４２】
正面側部６８１（図１２参照）、６８２、６８３（図１３参照）、６８４は、サブ制御基板ケース５０２の開口側から見た場合の内径がサブ制御基板ベース５０１の側壁５１１、５１２、５１３、５１４の外径と略一致している。サブ制御基板ベース５０１の側壁５１１、５１２、５１３、５１４の先端は、それぞれ段部６７１（図１２参照）、６７２、６７３（図１３参照）、６７４に係止している。
【０１４３】
このような構造により、前記サブ制御基板ベース５０１に前記サブ制御基板ケース５０２を装着した状態では、図１１乃至図１３に示すように、サブ制御基板ベース５０１の側壁５１１、５１２、５１３、５１４の外周とサブ制御基板ケース５０２の側壁５２１、５２２、５２３、５２４の内周とが重なり合って嵌合する。
【０１４４】
図５において、サブ制御基板ケース５０２の側壁５２１には、印刷配線板６０１の上辺のコネクタ６１０、６１１を露出させるための切り欠き６９１、６９２が形成される。
【０１４５】
サブ制御基板ケース５０２の側壁５２２には、印刷配線板６０１の下辺のコネクタ６１２を露出させるための切り欠き６９３が形成される。
【０１４６】
サブ制御基板ケース５０２の側壁５２３には、印刷配線板６０１の左辺のコネクタ６１３、６１４を露出させるための切り欠き６９４が形成される。
【０１４７】
サブ制御基板ケース５０２の側壁５２４には、印刷配線板６０１の右辺の複数のコネクタ６１５、６１６…を露出させるための切り欠き６９５が形成される。
【０１４８】
コネクタ６１５は、ハーネス６９６の他端側コネクタ６９８と接続することで、ハーネス６９６を介して電源回路基板３０２（図６参照）の入力コネクタ３２３（図６参照）と電気的に接続し、電源回路基板３０２（図６参照）に電力を供給するようになっている。
【０１４９】
液晶用サブ制御基板ユニット１０の組み立て方法について説明する。
【０１５０】
図４に示す液晶用サブ制御基板ユニット１０を組み立てる場合、まず、作業者は、図６に示す液晶パネルユニット３０１の接続用基板３６６のコネクタ３６７にＦＦＣハーネス３１６の一端側を取り付ける。次に、作業者は、ＦＦＣハーネス３１６を液晶ベース３０３の一面側収納部３３１（図１３参照）から第２の切欠き部３３４に挿入し、電源用配線３１５ａ、３１５ｂを第１の切欠き部３３３に挿入した状態で、液晶ベース３０３の一面側収納部３３１（図１３参照）に液晶パネルユニット３０１を挿入する。次に、作業者は、液晶パネルユニット３０１と一体になった液晶ベース３０３の一面側に、液晶板金３０４を被せ、液晶板金３０４のネジ止め用舌片４０５、４０６、４０７、４０８を液晶ベース３０３の内側ネジ止め部３９１、３９２、３９５、３９６にネジ４０９、４１０、４１１、４１２によりネジ止め固定する。
【０１５１】
次に、作業者は、図６に示す液晶ベース３０３の他面側収納部３３２のネジ止め用突起部３３６、３３７に電源回路基板３０２をネジ３３８、３３９によりネジ止め固定する。
【０１５２】
次に、作業者は、電源用配線３１５ａ、３１５ｂのコネクタ３７０を電源回路基板３０２の出力コネクタ３２４に接続し、ハーネス６９６（図５参照）の一端側コネクタ６９７（図５参照）を電源回路基板３０２の入力コネクタ３２３に接続する。
【０１５３】
次に、ハーネス６９６（図５参照）を液晶ケース３０５の一面側の開口から平面部３５０の開口部３５６に挿入し、ＦＦＣハーネス３１６の他端側を液晶ケース３０５の貫通部３５５に挿入し、リブ３４１が前記電源用配線３１５ａ、３１５ｂに当接して当該電源用配線３１５ａ、３１５ｂを液晶ケース３０５の内側方向に導いた状態で、液晶ベース３０３の他面側に液晶ケース３０５を取り付け、ネジ４２１、４２２、４２３、４２４のネジ部をネジ部挿入孔３５７、３５８、３５９、３６０に挿入し液晶ベース３０３の外側ネジ止め部３９５、３９６、３９７、３９８のネジ孔に螺入することで液晶ケース３０５を液晶ベース３０３にネジ止め固定して、液晶表示装置４９を完成させる。
【０１５４】
次に、作業者は、図５に示すネジ５４１、５４２、５４３、５４４のネジ部を、サブ制御基板ベース５０１のネジ止め部５３７、５３６、５３９、５４０のネジ挿入孔に挿入し、液晶ケース３０５（図６参照）のネジ穴４３１、４３２、４３３、４３４（図６参照）にそれぞれ螺入することで、サブ制御基板ベース５０１を液晶ケース３０５にネジ止め固定する。
【０１５５】
次に、作業者は、図５に示すサブ制御基板ベース５０１の背面側にサブ制御基板４０を収納し、サブ制御基板４０のコネクタ６１０に、液晶ケース３０５（図６参照）の貫通部３５５（図６参照）から外部に延出するＦＦＣハーネス３１６（図６参照）の他端側を接続する。次に、作業者は、サブ制御基板４０のコネクタ６１５に、液晶ケース３０５（図６参照）の開口部３５６（図６参照）から延出するハーネス６９６の他端側コネクタ６９８を接続する。
【０１５６】
次に、作業者は、ネジ６６１、６６２、６６３、６６４のネジ部を、サブ制御基板ケース５０２の凹部６５５、６５６、６５７、６５８からネジ部挿入孔６６５、６６６、６６７、６６８にそれぞれ挿入し、続いて印刷配線板６０１のネジ部挿入孔６３１、６３２、６３３、６３４にそれぞれ挿入し、サブ制御基板ベース５０１の突起部５３１、５３２、５３３、５３４のネジ穴に螺入して、サブ制御基板ケース５０２と印刷配線板６０１をサブ制御基板ベース５０１にネジ止め固定する。次に、作業者は、かしめ用キャップ６５１、６５２、６５３、６５４を凹部６５５、６５６、６５７、６５８に挿入してかしめることで、図１０乃至図１３に示すように基板ケースセット２２０を完成させると同時に液晶用サブ制御基板ユニット１０を完成させる。
【０１５７】
この状態では、サブ制御基板ケース５０２の側壁５２１の切り欠き６９１からコネクタ６１０に接続したＦＦＣハーネス３１６（図６参照）が露出し、サブ制御基板ケース５０２の側壁５２４の切り欠き６９５からコネクタ６１５に接続したハーネス６９６の他端側コネクタ６９８が露出する。
【０１５８】
次に、作業者は、図１２に示す液晶用サブ制御基板ユニット１０のネジ止め部４２５、４２６、４２７、４２８を前扉３（図２参照）の内側にネジ止めすることで、前扉３（図２参照）の内側に液晶用サブ制御基板ユニット１０をネジ止めする。
【０１５９】
次に、作業者は、切り欠き６９２、６９３、６９４、６９５（図５参照）から露出するコネクタ６１２、６１３、６１４、６１６…（図５参照）に主制御基板２０（図２参照）等からの各種ハーネスを接続することでスロットマシン１を稼動可能な状態にする。
【０１６０】
かかる構成のスロットマシン１によれば、液晶ケース３０５には、前記液晶板金３０４の側壁４０４と前記液晶ベース３０３の第１の切欠き部３３３により形成される開口３４０（図８参照）から突出する前記電源用配線３１５ａ、３１５ｂをケース内側に導くリブ３４１をその側壁３５３の内側に形成しているので、組み立ての際に電源回路基板３０２からの電力をバックライト３１２に供給する電源用配線３１５ａ、３１５ｂが電源回路基板３０２を収納するケースとしての液晶ケース３０５と前記液晶板金３０４に挟まれるのを防止するとともに、電源用配線３１５ａ、３１５ｂを取り回す隙間から不要な部品が内部に入り込むのを防止できるので、組み立て作業の効率化を行える。
【０１６１】
尚、図４乃至図１３に示した液晶ケース３０５、サブ制御基板ベース５０１とサブ制御基板ケース５０２は透光性を有する素材で形成したが、液晶ケース３０５は、型番表示部３１４を確認できるのなら、側壁３５１、３５２、３５３、３５４の少なくともその一部を透光性を有する素材で形成し、残りの部分を不透明の素材で形成してもよく、サブ制御基板ベース５０１とサブ制御基板ケース５０２は、サブ制御基板４０の必要な部分を確認できるのなら、少なくともその一部を透光性を有する素材で形成し、残りの部分を不透明の素材で形成してもよい。
【産業上の利用可能性】
【０１６２】
本発明は、スロットマシンに限らず、パチンコ機等の他の遊技機に応用することができる。
【図面の簡単な説明】
【０１６３】
【図１】図１は、本発明の一実施形態によるスロットマシンの外観構造を表した斜視図である。
【図２】図２は、本発明の一実施形態によるスロットマシンの内部構造を表した図である。
【図３】図３は、本発明の一実施形態によるスロットマシンの制御システムを表したブロック図である。
【図４】図４は、本発明の一実施形態による液晶用サブ制御基板ユニットの分解斜視図である。
【図５】図５は、本発明の一実施形態による基板ケース及びサブ制御基板の分解斜視図である。
【図６】図６は、本発明の一実施形態による液晶表示装置の分解斜視図である。
【図７】図７は、本発明の一実施形態による液晶パネルユニットの断面図である。
【図８】図８は、本発明の一実施形態による液晶ケースを取り付ける前の液晶表示装置を示す断面図である。
【図９】図９は、本発明の一実施形態による液晶ベースから液晶パネルユニットを外した状態を示す斜視図である。
【図１０】図１０は、本発明の一実施形態による液晶用サブ制御基板ユニットの正面側から見た斜視図である。
【図１１】図１１は、本発明の一実施形態による液晶用サブ制御基板ユニットの背面下側から見た斜視図である。
【図１２】図１２は、本発明の一実施形態による液晶用サブ制御基板ユニットの背面上側から見た斜視図である。
【図１３】図１３は、本発明の一実施形態による液晶用サブ制御基板ユニットの断面図である。
【図１４】図１４は、本発明の一実施形態によるリブ及びその周辺部を拡大して示す断面図である。
【符号の説明】
【０１６４】
１…スロットマシン、２…筐体、３…前扉、４…上部パネル部、
５…下部パネル部、６ａ…受皿部、６…受皿ユニット、７…操作卓、
８…開口、１０…サブ制御基板ユニット、２０…主制御基板、
２１…ホッパ装置、２２…補助貯留部、２３…主電源装置、
２４…電源装置基板、２５…外部集中端子基板、
３０、３１ａ、３１ｂ…発光駆動部、３２ａ、３２ｂ…スピーカ、
３３…中央表示基板、３４…メダル選別装置、
３４ａ…メダルセンサ、３５…ガイド部材、３６…ガイド部材、
３７…ガイド部材、３８ａ、３８ｂ…スピーカ、
４０…サブ制御基板、４１…パネル面、
４２…表示窓、４３…遊技状態表示部、４４…操作アシスト表示部、
４５…数値情報表示部、４６、４７ａ、４７ｂ…演出用照明部、
４８ａ、４８ｂ…演出用放音部、４９…液晶表示装置、
４９ａ…表示窓、５０…パネル板、５１…表示パネル、
５２ａ、５２ｂ…演出用照明部、６１…メダル払出口、
６２ａ、６２ｂ…左右の演出用放音部、７１…メダル投入部、
７２…メダル投入口、７３、７４…ベットボタン、
７５…スタートレバー、７６ａ、７６ｂ、７６ｃ…ストップボタン、
７７…精算ボタン、７８…鍵穴、１００…リールユニット、
１０１ａ、１０１ｂ、１０１ｃ…リール、
１１０ａ、１１０ｂ、１１０ｃ…ステッピングモータ、
１２０ａ、１２０ｂ、１２０ｃ…基準位置センサ、
１３０…回胴装置基板、２００…ＣＰＵ、２０１…記憶部、
２０２…システムプログラム、２０３…メダルクレジット手段、
２０４…入賞抽選テーブル、２０５…内部抽選フラグ、
２１０…基板ケース、２２０…基板ケースセット、
３０１…液晶パネルユニット、３０２…電源回路基板、
３０３…液晶ベース、３０４…液晶板金、３０５…液晶ケース、
３０６…内部空間、３１１…液晶パネル、３１２…バックライト、
３１３…画面、３１４…型番表示部、３１５ａ、３１５ｂ…電源用配線、
３１６…ＦＦＣハーネス、３１７…フレーム、３１８…枠部、
３１９…導光板、３３１…一面側収納部、３３２…他面側収納部、
３３３、３３４…第１及び第２の切欠き部、３３５…窓部、
３３６、３３７…ネジ止め用突起部、３３８、３３９…ネジ、
３４０…開口部、３４１、３４２、３４３、３４４、３４５…リブ、
３４６、３４７…水平板状部、３４８…垂直板状部、
３５０…平面部、３５１、３５２、３５３、３５４…側壁、
３５５…貫通部、３５６…開口部、
３５７、３５８、３５９、３６０…ネジ部挿入孔、
３６１ａ、３６１ｂ…冷陰極蛍光管、３６２…光学補償シート、
３６３…ドット印刷、３６４…ハーネス、３６５…隙間、
３６６…接続用基板、３６７…コネクタ、３６８…ラベル、
３６９…貫通部、３７０…コネクタ、３８０…平面部、
３８１、３８２、３８３、３８４…側壁、３８５…リブ、
３９１、３９２、３９５、３９６…内側ネジ止め部、
３９３、３９４、３９７、３９８…外側ネジ止め部、
３９９…リブ、４００…マスク部、
４０１、４０２、４０３、４０４…側壁、
４０５、４０６、４０７、４０８…ネジ止め用舌片、
４０９、４１０、４１１、４１２…ネジ、４２０…開口部、
４２１、４２２、４２３、４２４…ネジ、
４２５、４２６、４２７、４２８…ネジ止め部、
４３１、４３２、４３３、４３４…ネジ穴、
４３５…凹部、４３６…壁部、４３７…フック、
５０１…サブ制御基板ベース、５０２…サブ制御基板ケース、
５０３…開口部、５１０…平面部、
５１１、５１２、５１３、５１４…側壁、５２０…平面部、
５２１、５２２、５２３、５２４…側壁、５３０…収納部、
５３１、５３２、５３３、５３４…突起部、５３５…リブ、
５３７、５３８、５３９、５４０…ネジ止め部、
５４１、５４２、５４３、５４４…ネジ、
６０１…印刷配線板、６０２…ＣＰＵ、６０３…演出制御用ＲＯＭ、
６０４、６０５…画像データ用ＲＯＭ、
６０６…音声データ用ＲＯＭ、６０７…ＲＡＭ、
６１０、６１１、６１２、６１３、６１４、６１５、６１６…コネクタ、
６３０…電子部品印刷配線、
６３１、６３２、６３３、６３４…ネジ部挿入孔、
６５１、６５２、６５３、６５４…かしめ用キャップ、
６５５、６５６、６５７、６５８…凹部、
６６１、６６２、６６３、６６４…ネジ、
６６５、６６６、６６７、６６８…ネジ部挿入孔、
６７１、６７２、６７３、６７４…段部、
６７５、６７６、６７７、６７８…背面側部、
６８１、６８２、６８３、６８４…正面側部、
６９１、６９２、６９３、６９４、６９５…切り欠き、
６９６…ハーネス、６９７…一端側コネクタ、６９８…他端側コネクタ
【図１】
2008048839.tif 000003
【図２】
2008048839.tif 000004
【図３】
2008048839.tif 000005
【図４】
2008048839.tif 000006
【図５】
2008048839.tif 000007
【図６】
2008048839.tif 000008
【図７】
2008048839.tif 000009
【図８】
2008048839.tif 000010
【図９】
2008048839.tif 000011
【図１０】
2008048839.tif 000012
【図１１】
2008048839.tif 000013
【図１２】
2008048839.tif 000014
【図１３】
2008048839.tif 000015
【図１４】
2008048839.tif 000016